(57)【要約】【課題】保守管理を容易にすることができる、通信システムを提供する。【解決手段】電話事業者の局から加入者宅までの通信路において、局装置１００から中継装置２００までが伝送方式Ａで接続される。中継装置２００から加入者宅の宅内装置３００までが伝送方式Ｂで接続される。中継装置２００に、管理インタフェースと中継インタフェースとを変換するためのデータ形式変換部２２１と、ユーザデータと伝送方式Ｂの管理情報を多重／分離するための多重部スイッチ２０５とを設置する。これにより、伝送方式Ａのユーザデータ伝送路を使って伝送方式Ｂの管理情報を送受信させて、局装置１００から入出力させることが可能である。【選択図】図１
2007174557.tif 000002
【特許請求の範囲】
【請求項１】
局装置から中継装置までの間が伝送方式Ａで接続され、前記中継装置から宅内装置までの間が伝送方式Ｂで接続される通信システムであって、
前記中継装置は、
前記伝送方式Ｂの管理情報をユーザデータと多重化して前記伝送方式Ａにより前記局装置に送信する第１の送信手段を備え、
前記局装置は、
前記第１の送信手段から送信されてきた伝送方式Ｂの管理情報をユーザデータから分離する第１の分離手段と、
管理情報をユーザデータと多重化して前記伝送方式Ａにより前記中継装置に送信する第２の送信手段とを備え、
前記中継装置は、
前記第２の送信手段から送信されてきた管理情報をユーザデータから分離する第２の分離手段を備える、通信システム。
【請求項２】
前記局装置は、前記第１の分離手段により分離された伝送方式Ｂの管理情報のデータ形式を変換する第１のデータ形式変換手段を備え、
前記中継装置は、前記第２の分離手段により分離された管理情報のデータ形式を変換する第２のデータ形式変換手段を備える、請求項１に記載の通信システム。
【請求項３】
前記第１の送信手段は、前記第１のデータ形式変換手段のアドレスを宛先アドレスとして送信を行ない、
前記第２の送信手段は、前記第２のデータ形式変換手段のアドレスを宛先アドレスとして送信を行なう、請求項２に記載の通信システム。
【請求項４】
前記中継装置は、伝送方式Ａと伝送方式Ｂとを繋ぐインタフェースにＭＩＩを用いる、請求項１〜３のいずれかに記載の通信システム。
【請求項５】
局装置に対して伝送方式Ａで接続し、宅内装置に対して伝送方式Ｂで接続する中継装置であって、
前記伝送方式Ｂの管理情報をユーザデータと多重化して前記伝送方式Ａにより前記局装置に送信する送信手段と、
伝送方式Ａと伝送方式Ｂとを繋ぐインタフェースとを備える、中継装置。
【請求項６】
中継装置に対して伝送方式Ａで接続され、さらに宅内装置に対して伝送方式Ｂで前記中継装置を介して接続される局装置であって、
前記中継装置から送信されてきた伝送方式Ｂの管理情報をユーザデータから分離する分離手段と、
管理情報をユーザデータと多重化して前記伝送方式Ａにより前記中継装置に送信する送信手段とを備える、局装置。
【請求項７】
局装置から中継装置までの間が伝送方式Ａで接続され、前記中継装置から宅内装置までの間が伝送方式Ｂで接続される通信システムの管理方法であって、
伝送方式Ｂの管理情報をユーザデータと多重化して前記伝送方式Ａにより前記中継装置から前記局装置に送信し、
前記局装置において送信されてきた伝送方式Ｂの管理情報をユーザデータから分離する、
管理情報取得手順と、
管理情報をユーザデータと多重化して前記伝送方式Ａにより前記局装置から前記中継装置に送信し、
前記中継装置において送信されてきた管理情報をユーザデータから分離する、
管理情報送出手順と、
の少なくとも一方を有する、通信システムの管理方法。
【発明の詳細な説明】
【技術分野】
【０００１】
この発明は、通信システムおよび通信システムの管理方法に関し、特に局装置、中継装置、および宅内装置で構成される通信システムおよび通信システムの管理方法に関する。
【背景技術】
【０００２】
近年、ＦＴＴＨ（Fiber To The Home）の技術が普及し始めている。この技術においては、通信事業者の局からユーザ宅まで光ファイバを伝送路とし、ＧＥ−ＰＯＮ（Gigabit Ethernet（登録商標）-Passive Optical Network）技術等により１００Ｍｂｐｓクラスの超高速伝送を行なう。
【０００３】
この際、ユーザ宅内まで光ファイバを通すためには、ユーザ宅の壁面に穴をあける必要があるため、工事に時間を要したり、費用がかかる等の欠点があり、普及が遅れるという問題点があった。
【０００４】
そこで、図４に示されるように、ユーザ（加入者）宅の壁面に中継装置２００を設け、通信事業者の局装置１００から壁面まではＧＥ−ＰＯＮなどの光伝送（以下、「伝送方式Ａ」と呼ぶ。）を行ない、壁面から宅内装置３００までは、電話線、同軸線、電灯線など、すでに敷設されているインフラを用いてｘＤＳＬ、宅内伝送、ＰＬＣ（Power Line Communications）などの方式により伝送する（以下、「伝送方式Ｂ」と呼ぶ。）という方法がある。宅内装置３００が家庭用ＰＣ４００などに接続される。
【０００５】
なお、下記特許文献１には、収容局から遠隔終端装置まで光ケーブルで伝送し、遠隔終端装置から電話加入者までをメタリック線で伝送するシステムに関する技術が開示されている。
【特許文献１】特開２００２−２７５１１号公報
【発明の開示】
【発明が解決しようとする課題】
【０００６】
図５は、局装置１００、中継装置２００、および宅内装置３００からなる通信システムの構成の具体例を示す図である。
【０００７】
図を参照して、局装置１００は、伝送方式Ａの信号処理部１０５と、管理インタフェースと接続される入出力部１０１と、データ入出力のための物理層（ＰＨＹ）１０３とを備えている。
【０００８】
中継装置２００は、伝送方式Ａの信号処理部２０１と、伝送方式Ｂの信号処理部２０７と、スイッチ２０５と、管理インタフェースと接続される入出力部２０３，２０９とを備えている。
【０００９】
宅内装置３００は、伝送方式Ｂの信号処理部３０５と、管理インタフェースと接続される入出力部３０１と、データ入出力のための物理層（ＰＨＹ）３０３とを備えている。
【００１０】
図に示されるように、伝送方式Ａの信号処理部２０１と、伝送方式Ａの信号処理部１０５との間では、伝送方式Ａによる通信が行なわれる。伝送方式Ｂの信号処理部３０５と、伝送方式Ｂの信号処理部２０７との間では、伝送方式Ｂによる通信が行なわれる。
【００１１】
伝送方式Ａの中では管理情報のやり取りが行なわれる。同じく伝送方式Ｂの中でも管理情報のやり取りが行なわれる。
【００１２】
この管理情報のやり取りは同一伝送方式の中で閉じており、中継装置２００内の伝送方式Ａと伝送方式Ｂをつなぐインタフェース（例えばEthernet（登録商標）のＭＩＩ（Medium Independent Interface））はユーザデータ伝送しか行なわない。
【００１３】
局装置１００から中継装置２００の間には、伝送方式Ａの伝送路しか存在せず、伝送方式Ｂの管理情報をやりとりするための専用の伝送路が存在しない。そのため、伝送方式Ｂの管理情報が伝送方式Ａまで届かない。
【００１４】
これにより、以下の問題点が発生する。事業者が伝送方式Ｂの状況を出力させたり、何らかの制御情報を入力させたい場合、通信事業者の局装置１００から操作を行なえず、各加入者宅の中継装置２００まで出向いて操作する必要がある。これは保守管理上手間とコストがかかり、非効率であるという問題点があった。
【００１５】
この発明は上記問題点を解決するためになされたものであり、保守管理を容易にすることができる、通信システムおよび通信システムの管理方法を提供することを目的としている。
【課題を解決するための手段】
【００１６】
上記目的を達成するためこの発明のある局面に従うと、局装置から中継装置までの間が伝送方式Ａで接続され、中継装置から宅内装置までの間が伝送方式Ｂで接続される通信システムにおいて、中継装置は、伝送方式Ｂの管理情報をユーザデータと多重化して伝送方式Ａにより局装置に送信する第１の送信手段を備え、局装置は、第１の送信手段から送信されてきた伝送方式Ｂの管理情報をユーザデータから分離する第１の分離手段と、管理情報をユーザデータと多重化して伝送方式Ａにより中継装置に送信する第２の送信手段とを備え、中継装置は、第２の送信手段から送信されてきた管理情報をユーザデータから分離する第２の分離手段を備える。
【００１７】
この発明に従うと、伝送方式Ｂの管理情報をユーザデータと多重化して伝送方式Ａにより局装置に送信し、管理情報をユーザデータと多重化して伝送方式Ａにより中継装置に送信することができるため、保守管理を容易にすることができる通信システムを提供することが可能となる。
【００１８】
好ましくは局装置は、第１の分離手段により分離された伝送方式Ｂの管理情報のデータ形式を変換する第１のデータ形式変換手段を備え、中継装置は、第２の分離手段により分離された管理情報のデータ形式を変換する第２のデータ形式変換手段を備える。
【００１９】
この構成によると、管理情報のデータ形式を変換することが可能となる。
好ましくは第１の送信手段は、第１のデータ形式変換手段のアドレスを宛先アドレスとして送信を行ない、第２の送信手段は、第２のデータ形式変換手段のアドレスを宛先アドレスとして送信を行なう。
【００２０】
この構成によると、管理情報をデータ形式変換部に送信することができる。
好ましくは中継装置は、伝送方式Ａと伝送方式Ｂとを繋ぐインタフェースにＭＩＩを用いる。
【００２１】
この構成によると、中継装置において伝送方式Ａと伝送方式Ｂとを繋ぐことが可能である。ＭＩＩのインタフェース形式を用いると、ＭＡＣアドレスによって伝送方式Ａと伝送方式Ｂとの間の接続が容易になる。
【００２２】
この発明の他の局面に従うと、局装置に対して伝送方式Ａで接続し、宅内装置に対して伝送方式Ｂで接続する中継装置は、伝送方式Ｂの管理情報をユーザデータと多重化して伝送方式Ａにより局装置に送信する送信手段と、伝送方式Ａと伝送方式Ｂとを繋ぐインタフェースとを備える。
【００２３】
この発明に従うと、伝送方式Ｂの管理情報をユーザデータと多重化して伝送方式Ａにより局装置に送信することができるため、保守管理を容易にすることができる中継装置を提供することが可能となる。
【００２４】
この発明のさらに他の局面に従うと、中継装置に対して伝送方式Ａで接続され、さらに宅内装置に対して伝送方式Ｂで中継装置を介して接続される局装置は、中継装置から送信されてきた伝送方式Ｂの管理情報をユーザデータから分離する分離手段と、管理情報をユーザデータと多重化して伝送方式Ａにより中継装置に送信する送信手段とを備える。
【００２５】
この発明に従うと、管理情報をユーザデータと多重化して伝送方式Ａにより中継装置に送信することができるため、保守管理を容易にすることができる局装置を提供することが可能となる。
【００２６】
この発明のさらに他の局面に従うと、局装置から中継装置までの間が伝送方式Ａで接続され、中継装置から宅内装置までの間が伝送方式Ｂで接続される通信システムの管理方法は、伝送方式Ｂの管理情報をユーザデータと多重化して伝送方式Ａにより中継装置から局装置に送信し、局装置において送信されてきた伝送方式Ｂの管理情報をユーザデータから分離する、管理情報取得手順と、管理情報をユーザデータと多重化して伝送方式Ａにより局装置から中継装置に送信し、中継装置において送信されてきた管理情報をユーザデータから分離する、管理情報送出手順と、の少なくとも一方を有する。
【００２７】
この発明に従うと、伝送方式Ｂの管理情報をユーザデータと多重化して伝送方式Ａにより局装置に送信、または、管理情報をユーザデータと多重化して伝送方式Ａにより中継装置に送信することができるため、保守管理を容易にすることができる通信システムの管理方法を提供することが可能となる。
【発明を実施するための最良の形態】
【００２８】
図１は、本発明の実施の形態の１つにおける通信システムの構成を示す図である。
この通信システムにおいては、図５の通信システムと比較して、伝送方式Ｂの管理情報（制御情報）のやり取りを局装置１００から行なえるようにしている。
【００２９】
伝送方式Ａと伝送方式Ｂとを繋ぐインタフェース（ＭＩＩまたはＧＭＩＩ（以下ＭＩＩであるものとして統一する。））内に伝送方式Ｂの管理情報が流される。伝送方式Ａ内において伝送方式Ｂの管理情報は、ユーザデータとして流される。
【００３０】
中継装置２００においては、伝送方式Ａの信号処理部２０１と伝送方式Ｂの信号処理部２０７とのＭＩＩインタフェースの間にスイッチ２０５が設けられる。
【００３１】
また、中継装置２００において、伝送方式ＢのＧＰＩＯインタフェースでやり取りされる管理情報を、ＭＩＩインタフェースに変換するためにＦＰＧＡ（又はＡＳＩＣ）で構成されるデータ形式変換部２２１を設ける。これにより、データ形式変換部２２１とスイッチ２０５とがＭＩＩインタフェースで繋がれる。
【００３２】
局装置１００においては、伝送方式Ａの信号処理部１０５と物理層（ＰＨＹ）１０３との間にスイッチ１２５が設けられる。
【００３３】
また、局装置１００において、伝送方式Ａの信号処理部１０５と管理インタフェースの入出力部１２１との間にＦＰＧＡ（又はＡＳＩＣ）で構成されるデータ形式変換部１２３を設ける。これにより、ＧＰＩＯインタフェースとＭＩＩインタフェースの変換を行なう。
【００３４】
宅内装置３００の構成は、図５に示されるものと変わらないため、ここでの説明を繰返さない。
【００３５】
これら装置により、通信システム（加入者伝送システム）は以下のように構成される。
電話事業者の局から加入者宅までの通信路において、局装置１００から中継装置２００までの間が伝送方式Ａで接続される。中継装置２００から加入者宅の宅内装置３００までの間が伝送方式Ｂで接続される。局に伝送方式Ａの信号処理部１０５を有する局装置１００を、加入者宅に伝送方式Ｂの信号処理部３０５を有する宅内装置３００を、中継地点に伝送方式Ａの信号処理部２０１と伝送方式Ｂの信号処理部２０７との両者を繋ぐインタフェースを有する中継装置２００を設置する。
【００３６】
局装置１００に管理インタフェース（ＧＰＩＯ）と中継インタフェース（ＭＩＩ）とを変換するための変換処理部（データ形式変換部１２３）と、ユーザデータと伝送方式Ｂの管理情報を多重／分離するための多重部（スイッチ１２５）と、伝送方式Ｂの管理情報を入出力させる入出力部１２１を設置する。
【００３７】
中継装置２００に管理インタフェースと中継インタフェースとを変換するための変換処理部（データ形式変換部２２１）と、ユーザデータと伝送方式Ｂの管理情報を多重／分離するための多重部（スイッチ２０５）とを設置する。
【００３８】
以上の構成により、伝送方式Ａのユーザデータ伝送路を使って伝送方式Ｂの管理情報を送受信させて、局装置１００から入出力させることが可能である。
【００３９】
また、中継インタフェースがＭＩＩ／ＧＭＩＩの場合、多重部にはスイッチを使い、データ形式変換部にはＭＡＣアドレスを付与し、スイッチ部でＭＡＣアドレスによるフィルタリングを行なうことで、ユーザデータと伝送方式Ｂの管理情報とを多重／分離させることが可能である。
【００４０】
以下、伝送方式Ｂの管理情報の流れについて説明する。
（１）  加入者宅から通信事業者の局への管理情報（主に状況データ）の流れについて
中継装置２００内の伝送方式Ｂの信号処理部２０７の管理情報は、ＧＰＩＯインタフェースを使って中継装置２００内のデータ形式変換部２２１に転送される。中継装置２００内のデータ形式変換部２２１で、ＧＰＩＯインタフェースからＭＩＩインタフェースに変換が行なわれる。
【００４１】
このとき、送信元ＭＡＣアドレスとして、中継装置２００内のデータ形式変換部２２１が持つＭＡＣアドレス（以下、「ＭＡＣアドレス２」という。）を付与する。また、宛先ＭＡＣアドレスとして、局装置１００内のデータ形式変換部１２３が持つＭＡＣアドレス（以下、「ＭＡＣアドレス１」という。）を付与する。
【００４２】
ＭＩＩに変換された管理情報は、中継装置２００内のスイッチ２０５にて、ユーザデータと合流し、伝送方式Ａの信号処理部２０１に転送される。そして、伝送方式Ａによって局装置１００まで伝送されるが、この間、管理情報はユーザデータであるかのように見える。
【００４３】
局装置１００内のスイッチ１２５は、宛先ＭＡＣアドレスが「ＭＡＣアドレス１」のものだけを局装置１００のデータ形式変換部１２３に転送するように設定される。これにより、管理情報のみが局装置１００のデータ形式変換部１２３に転送される。
【００４４】
局装置１００のデータ形式変換部１２３でＭＩＩからＧＰＩＯに変換が行なわれ、局装置１００内の入出力部１２１を経て、管理情報は管理インタフェースに出力される。
【００４５】
（２）  通信事業者の局から加入者宅への管理情報（主に制御データ）の流れについて
局装置１００の管理インタフェースから入力された管理情報は、局装置１００内の入出力部１２１を経て、局装置１００のデータ形式変換部１２３でＧＰＩＯからＭＩＩに変換される。
【００４６】
このとき、送信元ＭＡＣアドレスとして、局装置１００内のデータ形式変換部１２３が持つ「ＭＡＣアドレス１」を付与する。また、宛先ＭＡＣアドレスとして、中継装置２００内のデータ形式変換部２２１が持つ「ＭＡＣアドレス２」を付与する。
【００４７】
ＭＩＩに変換された管理情報は、局装置１００内のスイッチ１２５にて、ユーザデータと合流し、伝送方式Ａの信号処理部１０５に転送される。そして、伝送方式Ａによって中継装置２００まで伝送されるが、この間、管理情報はユーザデータであるかのように見える。
【００４８】
中継装置２００内のスイッチ２０５は、宛先ＭＡＣアドレスが「ＭＡＣアドレス２」のものだけを中継装置２００のデータ形式変換部２２１に転送するように設定される。これにより、管理情報のみが中継装置２００のデータ形式変換部２２１に転送される。
【００４９】
中継装置２００のデータ形式変換部２２１でＭＩＩからＧＰＩＯに変換が行なわれ、管理情報は伝送方式Ｂの信号処理部２０７に到達する。
【００５０】
図２は、データ形式変換部１２３，２２１によってＧＰＩＯデータをＭＩＩデータに変換する処理を示すフローチャートである。
【００５１】
図を参照して、ＧＰＩＯデータが受信されると、ステップＳ１０１でＧＰＩＯデータのヘッダを解体する。ステップＳ１０３で、フレームの分解と統合を行なうことで、ＭＩＩ（Ｅｔｈｅｒｎｅｔ（登録商標））のフレームを作成する。
【００５２】
ステップＳ１０５において、ＭＩＩのヘッダを付加する。このとき、宛先のＭＡＣアドレスは、データの送信を行なう装置内のデータ形式変換部のＭＡＣアドレスとする。ステップＳ１０７で作成された情報をスイッチに送信する。
【００５３】
図３は、データ形式変換部１２３，２２１によってＭＩＩデータをＧＰＩＯデータに変換する処理を示すフローチャートである。
【００５４】
図を参照して、ＭＩＩ（Ｅｔｈｅｒｎｅｔ（登録商標））データが受信されると、ステップＳ２０１でＭＩＩデータのヘッダを解体する。ステップＳ２０３で、フレームの分解と統合を行なうことで、ＧＰＩＯのフレームを作成する。
【００５５】
ステップＳ２０５において、ＧＰＩＯのヘッダを付加する。ステップＳ２０７で作成された情報をスイッチに送信する。
【００５６】
［実施の形態における効果］
以上の構成により、伝送方式Ｂの管理情報の閲覧や制御を局装置１００から行なうことができるようになる。これにより、局側の人間は、わざわざ加入者宅の中継装置２００まで出向く必要がなくなるため、人の移動の手間やコストを削減することができる。
【００５７】
より詳しくは、中継装置２００はユーザごとに異なる地点にあるため、複数のユーザの管理情報を操作する場合、これまでは全ての中継装置をまわる必要があった。これに対して本実施の形態では、局装置１００に全てのユーザの回線が集約され、局内で全てのユーザの管理情報を操作することができる。これにより、保守面での効率がアップする。
【００５８】
また、スイッチのところで、ユーザデータと伝送方式Ｂの管理情報とを分離する必要があるが、中継インタフェースがＭＩＩ／ＧＭＩＩの場合、ＭＡＣアドレスによるフィルタリングを行なうことで、データ出力側に管理情報が転送されたり、データ形式変換部側にユーザデータが転送されたりすることがなくなる。
【００５９】
これにより、データ形式変換部は不必要なユーザデータの変換処理をしなくてすむので、変換効率がアップし、多少安価で性能の低いデータ形式変換部側を採用することも可能である。また、管理インタフェースで余計な出力（化けた情報など）が表示されることがなく、操作がしやすくなる。データ出力側では、不必要な管理情報が流れないので、トラフィックの混雑を緩和できるという効果がある。
【００６０】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００６１】
【図１】本発明の実施の形態の１つにおける通信システムの構成を示す図である。
【図２】データ形式変換部１２３，２２１によってＧＰＩＯデータをＭＩＩデータに変換する処理を示すフローチャートである。
【図３】データ形式変換部１２３，２２１によってＭＩＩデータをＧＰＩＯデータに変換する処理を示すフローチャートである。
【図４】伝送方式ＡとＢとを採用した通信システムの構成を示す図である。
【図５】局装置１００、中継装置２００、および宅内装置３００からなる通信システムの構成の具体例を示す図である。
【符号の説明】
【００６２】
１００  局装置、１０１  入出力部、１０５  伝送方式Ａ信号処理部、１２１  入出力部、１２３  データ形式変換部、１２５  スイッチ、２００  中継装置、２０１  伝送方式Ａ信号処理部、２０５  スイッチ、２０７  伝送方式Ｂ信号処理部、２２１  データ形式変換部、３００  宅内装置、３０１  入出力部、３０５  伝送方式Ｂ信号処理部。
【図１】
2007174557.tif 000003
【図２】
2007174557.tif 000004
【図３】
2007174557.tif 000005
【図４】
2007174557.tif 000006
【図５】
2007174557.tif 000007